(57)【要約】所定の方法によって複製防止される、記録媒体複製装置、その方法、及びそのコンピュータプログラムが提供される。
2005537607.tif 000002
【特許請求の範囲】
【請求項１】
アドレスの重なった重畳区間を含む記録媒体を複製するための記録媒体複製装置であって、
複製しようとする原本記録媒体に記録されているファイルを順方向及び逆方向に読取して管理するためのファイル読取ユニットと、
前記原本記録媒体から読取られたファイルを相互に比較して一致するものと一致しないものを識別するファイル比較及び識別ユニットと、
前記ファイルの前記原本記録媒体上のアドレスを収集し、前記ファイルが写本記録媒体に記録されるためのアドレスを生成して指定するアドレス処理ユニットと、
前記アドレス処理ユニットによって指定された前記写本記録媒体上のアドレスに前記ファイルを記録する場合、前記原本記録媒体のアドレス構造と同一になるように記録するファイル記録ユニットと
を備える記録媒体複製装置。
【請求項２】
前記ファイル読取ユニットは、
前記原本記録媒体上のアドレスが最も小さい値を有する位置である記録媒体の初頭からそのアドレスが最も大きい値を有する位置である記録媒体の終端に向かう方向である順方向に前記原本記録媒体を読取して該媒体に記録されたファイルを抽出し、
前記順方向に読取られたファイルを、そのアドレス及び抽出された順序によって固有に識別して記憶装置に格納し管理する、請求項１に記載の記録媒体複製装置。
【請求項３】
前記ファイル読取ユニットは、
前記記録媒体の終端からその初頭に向かう方向である逆方向に前記原本記録媒体を読取してその記録されたファイルを抽出し、
前記逆方向に抽出されたファイルをそのアドレス及び抽出された順序の逆順によって固有に識別して記憶装置に格納し管理する、請求項２に記載の記録媒体複製装置。
【請求項４】
前記ファイル読取ユニットは、
前記原本記録媒体を順方向に読取して該媒体に記録されたファイルを抽出し、前記順方向に読取られたファイルをそのアドレス及び抽出された順序によって固有に識別して記憶装置に格納し管理する順方向ファイル読取ユニットと、
前記原本記録媒体を逆方向に読取して該媒体に記録されたファイルを抽出し、前記逆方向に読取られたファイルをそのアドレス及び抽出された順序の逆順によって固有に識別して記憶装置に格納し管理する逆方向ファイル読取ユニットとを備える、請求項３に記載の記録媒体複製装置。
【請求項５】
前記ファイル読取ユニットは、
前記原本記録媒体の順方向読取及び逆方向読取を並行して行う、請求項１に記載の記録媒体複製装置。
【請求項６】
前記アドレス処理ユニットは、
前記原本記録媒体から読取られたファイルを写本記録媒体に記録する場合、前記写本記録媒体に記録されなければならない前記ファイルの各アドレス構造が前記原本記録媒体のアドレス構造と同一になるように指定する、請求項１に記載の記録媒体複製装置。
【請求項７】
前記アドレス処理ユニットは、
前記ファイル比較及び識別ユニットによって相互に同一でないと判断された順方向ファイルと逆方向ファイルが相互に対応するファイル間に同一のアドレスを有するように前記写本記録媒体上のアドレスを指定する、請求項６に記載の記録媒体複製装置。
【請求項８】
前記ファイル記録ユニットは、
同一であると判断された順方向及び逆方向ファイルに対しては、２つのうちいずれか１つを選択して前記写本記録媒体に記録し、
同一でないと判断された順方向及び逆方向ファイルに対しては、同一でない順方向ファイルを前記写本記録媒体に記録した後、これに対応するアドレスに同一でない逆方向ファイルを記録する、請求項１に記載の記録媒体複製装置。
【請求項９】
前記各ユニットは、
所定の処理単位によって相互に区分される各データ群を前記ファイルとして取扱う、請求項１に記載の記録媒体複製装置。
【請求項１０】
アドレスの重なった重畳区間を含む記録媒体を複製するための記録媒体の複製方法であって、
前記原本記録媒体を順方向又は逆方向に読取してファイルを抽出する段階と、
順方向に読取られた順方向ファイルをその読取られた順序通り識別されるように管理する段階と、
逆方向に読取られた逆方向ファイルをその読取られた順序の逆順に識別されるように管理する段階と、
読取られた順方向及び逆方向ファイルが前記原本記録媒体と同一のアドレス構造を維持するように写本記録媒体に複製する段階と
を含む記録媒体の複製方法。
【請求項１１】
前記原本記録媒体上のファイルのアドレスを前記原本記録媒体から読取られたファイルに対応させて格納する段階を更に含む、請求項１０に記載の記録媒体の複製方法。
【請求項１２】
前記順方向に読取られたファイルは、その読取される順序によって順次的に増加する識別番号が割当される、請求項１０に記載の記録媒体の複製方法。
【請求項１３】
前記逆方向に読取られたファイルは、その読取される順序によって順次的に減少する識別番号が割当される、請求項１０に記載の記録媒体の複製方法。
【請求項１４】
前記原本記録媒体の順方向又は逆方向に読取する段階は、並行して行われる、請求項１０に記載の記録媒体の複製方法。
【請求項１５】
所定の処理単位によって相互に区分される各データ群が、前記ファイルとして取扱される、請求項１０に記載の記録媒体の複製方法。
【請求項１６】
アドレスの重なった重畳区間を含む記録媒体を複製するための記録媒体複製用のコンピュータプログラムであって、
複製しようとする原本記録媒体に記録されているファイルを順方向及び逆方向に読取して管理するためのファイル読取モジュールと、
前記原本記録媒体から読取られたファイルを相互に比較して一致するものと一致しないものを識別するファイル比較及び識別モジュールと、
前記ファイルの前記原本記録媒体上のアドレスを収集し、前記ファイルが写本記録媒体に記録されるためのアドレスを生成して指定するアドレス処理モジュールと、
前記アドレス処理ユニットによって指定された前記写本記録媒体上のアドレスに前記ファイルを記録する場合、前記原本記録媒体のアドレス構造と同一になるように記録するファイル記録モジュールと
を含む記録媒体複製用のコンピュータプログラム。
【請求項１７】
前記アドレス処理モジュールは、
前記原本記録媒体上のファイルのアドレスを前記原本記録媒体から読取られたファイルに対応させて格納する、請求項１６に記載の記録媒体複製用のコンピュータプログラム。
【請求項１８】
前記順方向に読取られたファイルは、その読取される順序によって順次的に増加する識別番号が割当される、請求項１６に記載の記録媒体複製用のコンピュータプログラム。
【請求項１９】
前記逆方向に読取られたファイルは、その読取される順序によって順次的に減少する識別番号が割当される、請求項１６に記載の記録媒体複製用のコンピュータプログラム。
【請求項２０】
前記原本記録媒体の順方向又は逆方向に読取する段階は、並行して行われる、請求項１６に記載の記録媒体複製用のコンピュータプログラム。
【請求項２１】
所定の処理単位によって相互に区分される各データ群が、前記ファイルとして取扱される、請求項１６に記載の記録媒体複製用のコンピュータプログラム。
【発明の詳細な説明】
【技術分野】
【０００１】
本発明は、記録媒体を複製するための記録媒体複製用の複製装置、その方法、及びそのコンピュータプログラムに関し、特に記録領域のアドレス情報が操作された記録媒体を複製するための記録媒体複製用の複製装置、その方法、及びそのコンピュータプログラムに関する。
【０００２】
本発明は、現存するか又は未来にある光学的記録媒体として、例えばオーディオ用コンパクト・ディスク（ＣＤ）、コンパクト・ディスクの結合体、他の光学式記録媒体領域を含むコンパクト・ディスク又は他の光学式記録媒体に含まれているコンパクト・ディスク領域、入力可能記録媒体としてＣＤ‐Ｒ（ＣＤ‐Ｒｅｃｏｒｄａｂｌｅ）又はＣＤ‐ＲＷ（ＣＤ‐Ｒｅｗｒｉｔａｂｌｅ）等を成功的に複製するための複製装置等に関連する。
【０００３】
また、本発明は、高品質のデジタルビデオ信号のようなデジタル情報が光学的に記録されている記録媒体として、再生用ＤＶＤ（ｄｉｇｉｔａｌ・ｖｅｒｓａｔｉｌｅ・ｄｉｓｃ又はｄｉｇｉｔａｌ・ｖｉｄｅｏ・ｄｉｓｃ）、上記ＤＶＤフォーマットを利用する入力又は入力可能記録媒体としてＤＶＤ‐Ｒ（ＤＶＤ‐Ｒｅｃｏｒｄａｂｌｅ）、ＤＶＤ‐ＲＷ（ＤＶＤ‐Ｒｅｗｒｉｔａｂｌｅ）又はＤＶＤ‐ＲＡＭ（ＤＶＤ‐Ｒａｎｄｏｍ・Ａｃｅｓｓ・Ｍｅｍｏｒｙ）等にも適用される事が出来る。
【背景技術】
【０００４】
一般に、再生装置において上記光学的記録媒体を制御し、該媒体に記録された情報を抽出する等の動作を行うためには、上記記録媒体に記録された情報の位置を知らせるアドレス情報が必要である。このようなアドレス情報及びコンテンツ情報等が上記記録媒体に記録されるための情報の記録形式又は記録媒体の情報構造は、本発明の技術分野において広く公知されている。
【０００５】
図１は、一般的なＤＶＤにおいて、上記ＤＶＤに記録された情報構造の一例を概念的に示した図面である。示したように、上記ＤＶＤに記録された情報は、所定の情報量を単位として１つの「（情報）セクタ」を構成する。図１は、１７個の情報セクタが形成された場合を示す。上記情報セクタのそれぞれは、１７２バイトのコンテンツ情報と、１０バイトの横方向のエラー訂正用パリティデータとを含む。また、１７番目のセクタは、縦方向のエラー訂正用パリティデータを含む。上記の情報構造は、単純に通常的なＤＶＤの情報構造の一例を示しただけであるから、本発明の技術思想の解釈と適用にいかなる限定的な意味も付与しない。
【０００６】
上記のような構造によって情報が記録された記録媒体において、上記アドレスデータは、特定の情報が記録媒体上のある位置に記録されているかを示す情報であり、上記アドレスデータの一部は、上記セクタの位置を示す情報として解釈される事も出来る。再生装置は、このようなアドレスデータを利用して必要な制御信号を生成し、再生動作を行う。例えば、上記再生装置が記録媒体上における位置移動又は特定の地点からの再生（ｐｌａｙ）等の動作を行おうとする場合、上記再生装置は、上記アドレスデータを参照しながら上記記録媒体に記録された情報を検索（ｓｅａｒｃｈ）する動作を制御し得る。
【０００７】
しかし、最近通常的な個人用コンピュータ等を利用して上記した光学的記録媒体に記録された情報を容易に判読し得るようになった。これによって、非常に容易ながらも多様な方式の不法複製又は無断複製行為が盛んに行われるようになった。従って、上記記録媒体に記録されたコンテンツに関する著作権の保護が深刻な問題に台頭するに至った。
【０００８】
これにより、本発明の出願人は、２００２年３月２２日に国際特許出願した特許文献１「複製防止された光学的な記録媒体、その駆動方法及び製造方法」において、複製防止された光学的記録媒体として、上記記録媒体に記録された情報に割当されたアドレス値が重畳される少なくとも１つ以上の重畳区間と、上記重畳区間に記録された情報を判読するために上記再生装置の駆動を制御する駆動情報とを含む複製防止された光学的記録媒体を開示したことがある。
【０００９】
図２ａ及び図２ｂを参照して、上記特許文献１の複製防止された光学的記録媒体に関して詳しく説明する。まず、図２ａは、一般的な光学的記録媒体の最内周側に記録された情報からその最外周側に記録された情報までを仮想的に一列に並べた情報デ−タ列と、上記情報デ−タ列のアドレス値の割当状態を示した図面である。次に、図２ｂは、特許文献１の複製防止された光学的記録媒体の最内周側に記録された情報からその最外周側に記録された情報までを仮想的に一列に並べた情報デ−タ列と、上記情報デ−タ列のアドレス値の割当状態を示した図面である。
【００１０】
図２ａに示したように、一般的な光学的記録媒体に記録された情報のアドレス値は、内周側から外周側に至るまで順次的に増加するように割当される。このような状態を情報デ−タ列の下端に単調増加するグラプとして示した。もちろん、内周側から外周側に至るまでアドレスの値が単調減少する場合もありえる。
【００１１】
また、公知された他の光学的記録媒体においては、アドレスデータをスクランブリングして記録媒体上に情報が混在するようにする事もある。このようにすることによって、記録媒体の所定部位に物理的損傷が発生する場合にもエラー校正による再生率を増加し得る。しかし、このような場合にも、上記図２ａに示したように抽出された情報を一列に並べた状態を仮定すれば、概念的にはアドレス値が単調増加（又は単調減少）するように理解し得る。
【００１２】
しかし、上記特許文献１の複製防止された光学式記録媒体においては、図２ｂに示したように、上記記録媒体に記録された情報に割当されたアドレス値が重畳される区間（重畳区間）を少なくとも１つ含む。上記アドレス値は、物理的アドレスであるか又は論理的アドレスでありうる。示された例では、上記重畳区間とその前方の所定区間（以下、「区間Ｂ」という）とのアドレス  値が重なるように示された。
【００１３】
また、上記特許文献１の複製防止された光学式記録媒体は、所定領域に、上記重畳区間に記録された情報を判読するために再生装置の駆動を制御する駆動情報をさらに含む。上記駆動情報は、上記区間Ｂと上記重畳区間に記録された各情報の対応するデータが互いに同一のアドレス値を有するので、これらの各データにアクセスするために再生装置を駆動する情報である。
【００１４】
上記特許文献１による記録媒体に記録された情報を公知の方法を利用して複製しようとする場合、上記区間Ｂからの情報と上記重畳区間からの情報を写本である記録媒体に記録するために、上記両区間に割当された同一のアドレスデータを利用しなければならない。従って、上記区間Ｂの情報と上記重畳区間の情報とのうちいずれか１つのみが写本である記録媒体の該当アドレス値を有する区間に記録される。
【００１５】
従って、このように記録された写本である記録媒体を再生する場合、上記原本である本発明の記録媒体の上記区間Ｂの情報と上記重畳区間の情報のうちいずれか１つを写本である記録媒体から抽出し得ない。即ち、原本である記録媒体の情報のうち、写本である記録媒体に複製されない情報が存在するようになる。
【００１６】
写本である記録媒体の場合、特定のアドレスが割当された位置から抽出されるデータがその再生進行方向と関係なく同一である。これは、再生進行方向によって同一のアドレスが割当された位置から互いに異なるデータが抽出され得る原本である記録媒体の場合と異なった結果である。これにより、原本である記録媒体と写本である記録媒体とは判別され得る。従って、これを利用すれば、原本である記録媒体の複製を防止するか、少なくとも写本である記録媒体の再生を禁止させる事が出来る。
【００１７】
しかし、上記のように複製防止された記録媒体の場合、その正当な所有者が法律上許容される範囲内で複製しようとしても現在知られた方式では複製し得ないという問題がある。
【特許文献１】国際公開第０３／０８１５９０号パンフレット
【発明の開示】
【発明が解決しようとする課題】
【００１８】
本発明の出願人は、上記特許文献１による複製防止された記録媒体の正当な所有者、正当な製造者、又は正当な利用者（以下、総称して「正当な使用者」という）が、法律上許容される範囲内でこれに対する複製を許容する必要性を認定する。従って、本発明の課題は、上記したように、アドレスの重なった重畳区間を含む記録媒体を複製し得る手段を正当な使用者に提供する事である。
【課題を解決するための手段】
【００１９】
上記の課題を達成するために、本発明は、アドレスの重なった重畳区間を含む記録媒体を複製するための記録媒体複製装置を提供する。上記記録媒体複製装置は、複製しようとする原本記録媒体に記録されているファイルを順方向及び逆方向に読取して管理するためのファイル読取ユニットと、上記原本記録媒体から読取られたファイルを相互に比較して一致するものと一致しないものを識別するファイル比較及び識別ユニットと、上記ファイルの上記原本記録媒体上のアドレスを収集し、上記ファイルが写本記録媒体に記録されるためのアドレスを生成して指定するアドレス処理ユニットと、上記アドレス処理ユニットによって指定された上記写本記録媒体上のアドレスに上記ファイルを記録する場合、上記原本記録媒体のアドレス構造と同一になるように記録するファイル記録ユニットとを備える。
【発明を実施するための最良の形態】
【００２０】
以下、本発明の好ましい実施例を、添付の図面と共に詳しく説明する。先ず、図３は、本発明による記録媒体複製装置１００の一実施例の機能ブロック図を概念的に示した図面である。示したように、本発明による複製装置１００は、複製しようとする原本記録媒体に記録されているファイルを順方向及び逆方向に読取して管理するためのファイル読取ユニット１１０と、上記原本記録媒体から読取られたファイルを相互に比較して一致するものと一致しないものを識別するファイル比較及び識別ユニット１１２と、上記ファイルの上記原本記録媒体上のアドレスを収集し、上記ファイルが写本記録媒体に記録されるためのアドレスを生成して指定するアドレス処理ユニット１１４と、上記アドレス処理ユニット１１４によって指定された上記写本記録媒体上のアドレスに上記ファイルを記録するファイル記録ユニット１１６とを備える。
【００２１】
上記ファイル読取ユニット１１０は、図２ｂに示したような構造を有する上記原本記録媒体が投入されると、上記原本記録媒体上のアドレスが最も小さい値を有する位置（以下、「記録媒体の初頭」という）からそのアドレスが最も大きい値を有する位置（以下、「記録媒体の終端」という）に向かう方向（以下、「順方向」という）に上記原本記録媒体を読取して該媒体に記録されたファイルを抽出する。本明細書においては、このように順方向に読取られたファイルを「順方向ファイル」と称する。
【００２２】
上記ファイル読取ユニット１１０によって順方向に読取られたファイルは、そのアドレスと共に抽出された順序通り記憶装置（図示せず）に格納されて管理される。抽出された順序通り記憶装置に格納されて管理されるということは、例えば、上記原本記録媒体から最も先に抽出されたファイルの識別番号を最も低く割当し、最後に抽出されたファイルの識別番号を最も高く割当する方式により実現され得る。従って、順序通り格納するとしても、必ずしも後で抽出されたファイルを上記記憶装置の物理的又は論理的アドレス値が高い領域に格納する事を意味する事ではない。
【００２３】
また、上記ファイル読取ユニット１１０は、上記順方向の反対方向、即ち記録媒体の終端からその初頭に向かう方向（以下、「逆方向」という）に上記原本記録媒体を読取して記録されたファイルを抽出する。逆方向に抽出されたファイル（以下、「逆方向ファイル」という）は、抽出された順序の逆順にそのアドレスと共に上記記憶装置に格納されて管理される。逆方向に抽出されたファイルを逆順に格納するという事は、例えば、上記原本記録媒体から最も後で抽出されたファイルの識別番号を最も低く割当し、最も先に抽出されたファイルの識別番号を最も高く割当する方式により実現され得る。従って、逆順に格納するとしても、必ずしも後で抽出されたファイルを上記記憶装置の物理的又は論理的アドレス値が低い領域に格納する事を意味する事ではない。
【００２４】
更に、図３に示したように、上記のファイルの順方向読取動作や逆方向読取動作、又は抽出されたファイルの格納及び管理動作等は、各々順方向ファイル読取ユニット１１０２や逆方向ファイル読取ユニット１１０４によって並列的に行われる事も出来る。
【００２５】
抽出されたファイルの格納及び管理を、図４及び図５を参照して詳しく後述する。次に、上記ファイル比較及び識別ユニット１１２は、上記順方向ファイルと逆方向ファイルをそれぞれ対応するものを比較し、比較されたファイルが相互に同一のものであるか否かを判断する。また、上記ファイル比較及び識別ユニット１１２は、その判断の結果により、同一であると判断されたファイルと、同一でないと判断されたファイルとを識別する。
【００２６】
次に、上記アドレス処理ユニット１１４は、上記ファイル読取ユニット１１０によって原本記録媒体から読取されるファイルのアドレスを収集して格納する。また、上記アドレス処理ユニット１１４は、上記ファイルを写本記録媒体に記録する場合、上記ファイルが上記写本記録媒体に記録されるアドレスを指定し、上記原本記録媒体と同一のアドレス構造を有するようにする。この場合、上記アドレス処理ユニット１１４は、上記ファイル比較及び識別ユニット１１２によって相互に同一でないと判断された順方向ファイル及び逆方向ファイルがそれぞれ同一のアドレスを有するように、上記写本記録媒体上のアドレスを指定することによって、上記写本記録媒体のアドレス構造を図２ｂに示された原本記録媒体のアドレス構造と同一になるように指定する。
【００２７】
次に、上記ファイル記録ユニット１１６は、上記アドレス処理ユニット１１４によって指定されたアドレスにより、上記順方向及び逆方向ファイルを上記写本記録媒体に記録する。即ち、上記ファイル記録ユニット１１６は、同一であると判断された順方向及び逆方向ファイルの場合、２つのファイルのうちいずれか１つを選択して上記写本記録媒体に記録する。一方、上記ファイル記録ユニット１１６は、同一でないと判断された順方向及び逆方向ファイルの場合、先ず同一でない順方向ファイルを上記写本記録媒体に記録した後、これに対応するアドレスに同一でない逆方向ファイルを記録する。
【００２８】
上記ファイルの記録は、当然原本記録媒体上のアドレスと同一のアドレス構造を有するように行われる。写本記録媒体と原本記録媒体において、特定のファイルが記録される物理的な位置が完全に同じ必要はない。特定のファイルに指定されるアドレスは、原本及び写本記録媒体において同じ値であることが好ましいが、必ずしもこれに限定される事ではなく、全体的なアドレス構造が同一であるだけでも十分な場合もありえる事を主意しなければならない。
【００２９】
次に、図４及び図５を参照して本発明の複製装置の動作を詳しく説明する。図４は、本発明による複製装置の動作の一実施例を示すフローチャートである。原本記録媒体が投入されて使用者の指示によって動作が始まると（段階Ｓ４００）、上記原本記録媒体を順方向又は逆方向に読取してファイルを抽出する（段階Ｓ４０２又はＳ４０８）。上述した通りファイルを順方向又は逆方向に読取する動作は、順に行われる場合もあり、並行に行われる場合も有り得る。
【００３０】
次に、順方向に読取られた順方向ファイルは、その読取られた順序通り記憶装置（図示せず）に格納される。一番目に読取られた順方向ファイルを「Ｆ．ファイル．１」とし、二番目に読取られた順方向ファイルを「Ｆ．ファイル．２」、Ｎ番目に読取られたファイルを「Ｆ．ファイル．Ｎ」とすれば、これらは読取られた順序通り識別され得るように上記記憶装置に格納される。本実施例では、これらが読取られた順序通り識別されるようにするために、順次的に増加する識別番号を割当する方法を用いた例を図示する（段階Ｓ４０４２）。段階Ｓ４０４２において、１）、２）、ｎ）は読取られた順序を意味する。
【００３１】
また、示したように、これらのファイルと共に、これらの原本記録媒体上のアドレス（即ち、Ａ１、Ａ２、…ＡＮ）が共に格納される事が好ましい。
【００３２】
一方、逆方向に読取られた逆方向ファイルは、その読取られた順序の逆順に記憶装置（図示せず）に格納される。一番目に読取られた逆方向ファイルを「Ｒ．ファイル．Ｎ」とし、二番目に読取られた逆方向ファイルを「Ｒ．ファイル．（Ｎ−１）」、Ｎ番目に読取られたファイルを「Ｒ．ファイル．１」とすれば、これらは読取られた順序の逆順に識別され得るように上記記憶装置に格納される。これらが読取られた順序の逆順に識別されるようにするために、上述した通り順次的に減少する識別番号を割当する方法を用いる事も出来る。本実施例では、これらが読取られた順序の逆順に識別されるようにするために、順次的に減少する識別番号を割当する方法を用いた例を図示する（段階Ｓ４１０２）。段階Ｓ４１０２において、１）、２）、…ｎ）は読取られた順序を意味する。
【００３３】
また、示したように、これらのファイルと共に、これらの原本記録媒体上のアドレス（即ち、ＡＮ、Ａ（Ｎ−１）、…Ａ１）も共に格納される事が好ましい。
【００３４】
次に、原本記録媒体の終端又は初頭に到達することによって原本記録媒体からのファイルの読取が完了されると（段階Ｓ４０６又は段階Ｓ４１２）、読取られたファイルが原本記録媒体と同一のアドレス構造を維持するように該ファイルを写本記録媒体に複製する。
【００３５】
複製のためには、上記読取られた順方向ファイル及び逆方向ファイルを相互に比較して同一であるかどうかを判断する（段階Ｓ４１４）。ここでは、理解を容易にするために、図５を参照して、上記原本記録媒体に全部で１２個のファイルが記録されており、そのうち３つのファイルが重畳区間に記録されていると仮定して説明する。図５は、原本記録媒体のファイル構造及び該媒体から抽出された順方向ファイルと逆方向ファイルのうち相互に対応するものの同一性可否判断の結果を示した図面である。
【００３６】
図５に示された実施例によれば、上記原本記録媒体には全部で１２個のファイルが記録されており、これらを順方向に読取すれば９個の順方向ファイル、即ちＦ．ファイル．１乃至Ｆ．ファイル．９が抽出され、これらを逆方向に読取すれば９個の逆方向ファイル、即ちＲ．ファイル．１乃至Ｒ．ファイル．９が抽出される。これらのうち、アドレスの重なった区間である重畳区間に３つのファイル、即ちＲ．ファイル．５乃至Ｒ．ファイル．７が記録されており、区間Ｂにも３つのファイル、即ちＦ．ファイル．５乃至Ｆ．ファイル．７が記録されていると仮定した。
【００３７】
図５に示したように、順方向ファイルと逆方向ファイルのうち、識別番号が一致するもの又は原本記録媒体上のアドレスが一致するものを相互に比較すると（段階Ｓ４１４）、相互に同一である６つの順方向及び逆方向ファイル対、即ちＦ．ファイル．１乃至Ｆ．ファイル．４とＲ．ファイル．１乃至Ｒ．ファイル．４の４つのファイル対と、Ｆ．ファイル．８及びＦ．ファイル．９とＲ．ファイル．８及びＲ．ファイル．９の２つのファイル対を確認し得る。また、順方向ファイルのうちのＦ．ファイル．５乃至Ｆ．ファイル．７と逆方向ファイルのうちのＲ．ファイル．５乃至Ｒ．ファイル．７は、相互に一致する対を発見し得ないファイルである事を確認し得る（段階Ｓ４１６）。
【００３８】
従って、一致するファイルと一致しないファイルに関する識別が完了した後、原本記録媒体と同じアドレス構造になるようにこれらを写本記録媒体に記録する（段階Ｓ４１８及び段階Ｓ４２０）。即ち、先ず順方向ファイルを記録する（段階Ｓ４１８）。この時、原本記録媒体のアドレス構造も複製されるように写本記録媒体のアドレス構造を形成する。
【００３９】
次に、逆方向ファイルのうち、一致する対を発見し得ない逆方向ファイル（本実施例では、Ｒ．ファイル．５乃至Ｒ．ファイル．７）を写本記録媒体に記録する。この時、特に注意すべき点は、一致する対を発見し得ない逆方向ファイルのアドレス構造が原本記録媒体と同一に形成されなければならない事である（段階４２０）。
【００４０】
次に、図６は、他の実施例による原本記録媒体のファイル構造及び該媒体から抽出された順方向ファイルと逆方向ファイルのうち相互に対応するファイルの同一性可否判断の結果を示した図面である。示したように、本実施例による原本記録媒体には全部で１１個のファイルが記録されており、これらを順方向に読取すれば９個の順方向ファイル、即ちＦ．ファイル．１乃至Ｆ．ファイル．９が抽出され、これらを逆方向に読取すれば８個の逆方向ファイル、即ちＲ．ファイル．１乃至Ｒ．ファイル．８が抽出される。これらのうち、アドレスの重なった区間である重畳区間には２つのファイル、即ちＲ．ファイル．５及びＲ．ファイル．６が記録されており、区間Ｂには３つのファイル、即ちＦ．ファイル．５乃至Ｆ．ファイル．７が記録されていると仮定した。
【００４１】
本実施例の場合、順方向ファイルの個数と逆方向ファイルの個数が一致しないと仮定したが、この場合にも抽出されたファイルのアドレスを参照してそのアドレスが同一なものを相互に比較することによって、同一のファイル対の存在可否を確認し得る。従って、以外の全ての説明は、図５を参照して上述したように同一に適用され得る。
【００４２】
次に、図７ａは、本発明の他の実施例による原本記録媒体のファイル構造を示した図面であり、図７ｂは、図７ａの記録媒体から抽出された順方向ファイルと逆方向ファイルのうち相互に対応するものの同一性可否判断の結果を示した図面である。示したように、本実施例による原本記録媒体には全部で２２個のファイルが記録されており、これらを順方向に読取すれば１８個の順方向ファイル、即ちＦ．ファイル．１乃至Ｆ．ファイル．１８が抽出され、これらを逆方向に読取すれば１６個の逆方向ファイル、即ちＲ．ファイル．１乃至Ｒ．ファイル．１６が抽出される。
【００４３】
示したように、本実施例では２つの重畳区間が形成されており、各々の重畳区間には全て４つのファイル、即ちＲ．ファイル．５及びＲ．ファイル．６とＲ．ファイル．１３及びＲ．ファイル．１４とが記録されている。また、これらの重畳区間に対応する区間Ｂも２つ形成されているが、ここには全て６つのファイル、即ちＦ．ファイル．５乃至Ｆ．ファイル．７とＦ．ファイル．１４乃至Ｆ．ファイル．１６とが記録されていると仮定した。
【００４４】
本実施例の場合にも、順方向ファイルの個数と逆方向ファイルの個数が一致しないと仮定したが、この場合にも抽出されたファイルのアドレスを参照してそのアドレスが同一なものを相互に比較することによって、同一のファイル対の存在可否を確認し得る。従って、以外の全ての説明は、図５を参照して上述したように同一に適用され得る。
【００４５】
更に、以上では、原本記録媒体に記録された情報をファイル単位で抽出して管理し処理すると説明したが、必ずしもファイル単位でなくてもその適用例によって適切な単位（例えば、ブロック単位）に区分して抽出し、管理して処理する事も可能である。従って、本発明の解釈及び理解においては、上記の説明及び以下の特許請求の範囲でも上記「ファイル」という用語は「処理単位」を意味するように解釈され、理解されなければならない。
【００４６】
本発明による複製方法は、上記の本発明の複製装置１００に含まれる各ユニット１１０乃至１１６の機能を行うようにプログラムされたモジュール、即ちファイル読取モジュール（図示せず）と、ファイル比較及び識別モジュール（図示せず）と、アドレス処理モジュール（図示せず）と、ファイル記録モジュール（図示せず）とを含む記録媒体複製用のコンピュータプログラムによって実現される事も出来る。このような本発明による記録媒体複製用のコンピュータプログラムは、これを実行するコンピュータシステムのハードウェア及び／又はソフトウェアと相互に作用して上記の本発明の技術思想を実現するようになる。上記本発明による記録媒体複製用のコンピュータプログラムに含まれる上記モジュールのプログラミングの実際は、本発明の技術分野において既に広く公知されているだけでなく、本発明の実施に必要な単純な設計的選択事項であるだけであるから、その詳細な説明は省略する。
【産業上の利用可能性】
【００４７】
本発明によれば、アドレスの重なった重畳区間を含む記録媒体を複製し得る複製装置、その方法、及びそのコンピュータプログラムを正当な使用者に提供し得るようになる。
【図面の簡単な説明】
【００４８】
【図１】一般的なＤＶＤにおいて、上記ＤＶＤに記録された情報構造の一例を概念的に示した図面である。
【図２ａ】一般的な光学的記録媒体の最内周側に記録された情報からその最外周側に記録された情報までを仮想的に一列に並べた情報デ−タ列と、上記情報デ−タ列のアドレス値の割当状態を示した図面である。
【図２ｂ】本発明による複製防止された光学的記録媒体の最内周側に記録された情報からその最外周側に記録された情報までを仮想的に一列に並べた情報デ−タ列と、上記情報デ−タ列のアドレス  値の割当状態を示した図面である。
【図３】本発明による記録媒体複製装置１００の一実施例の機能ブロック図を概念的に示した図面である。
【図４】本発明による複製装置の動作の一実施例を示すフローチャートである。
【図５】原本記録媒体のファイル構造及び該媒体から抽出された順方向ファイルと逆方向ファイルのうち相互に対応するものの同一性可否判断の結果を示した図面である。
【図６】他の実施例による原本記録媒体のファイル構造及び該媒体から抽出された順方向ファイルと逆方向ファイルのうち相互に対応するものの同一性可否判断の結果を示した図面である。
【図７ａ】本発明の他の実施例による原本記録媒体のファイル構造を示した図面である。
【図７ｂ】図７ａの記録媒体から抽出された順方向ファイルと逆方向ファイルのうち相互に対応するものの同一性可否判断の結果を示した図面である。
【図１】
2005537607.tif 000003
【図２ａ】
2005537607.tif 000004
【図２ｂ】
2005537607.tif 000005
【図３】
2005537607.tif 000006
【図４】
2005537607.tif 000007
【図５】
2005537607.tif 000008
【図６】
2005537607.tif 000009
【図７ａ】
2005537607.tif 000010
【図７ｂ】
2005537607.tif 000011
【国際調査報告】
2005537607.tif 000012